(57)【要約】      （修正有）【課題】自動復帰型過電流保護機能付電源を備えたパチンコ機等の遊技機において、この特性を悪用した不正行為を防止する。【解決手段】電源として自動復帰型過電流保護機能付電源を用いた遊技機において、過電流保護機能が作動し電源出力電圧が低下した時、電源出力電圧信号を遊技制御マイコン又は賞球払出制御マイコンの入力端子に与えると共に、上記マイコンのＮＭＩ端子に停電検出信号を与え、且つ、停電検出信号の遅延信号であるリセット信号を上記マイコンのＲＥＳ端子に与え、上記マイコンの出力端子から電源異常信号を出力する。具体的には、電源出力電圧信号を電源出力からツェナーダイオードと抵抗の分圧の内、抵抗両端の電圧とし、抵抗両端の電圧をバッファを介して遊技制御マイコン又は賞球払出制御マイコンの入力端子に与え、前記停電検出信号を電源入力電圧のレベル変化で動作を開始する電圧検出、遅延波形発生回路で作成する。【選択図】図１
2010082404.tif 000002
【特許請求の範囲】
【請求項１】
電源として自動復帰型過電流保護機能付電源を用いた遊技機において、
過電流保護機能が作動して、上記電源出力電圧が低下した時、
電源出力電圧信号を遊技制御マイコン又は賞球払出制御マイコンの入力端子に与えると共に、上記マイコンのＮＭＩ端子に停電検出信号を与え、且つ、停電検出信号の遅延信号であるリセット信号を上記マイコンのＲＥＳ端子に与え、上記マイコンの出力端子から電源異常信号を出力することを特徴とする電源異常検出器を備える遊技機。
【請求項２】
請求項１であって、
電源出力電圧信号を電源出力からツェナーダイオードと抵抗の分圧の内、抵抗両端の電圧とし、抵抗両端の電圧をバッファを介して遊技制御マイコン又は賞球払出制御マイコンの入力端子に与え、前記停電検出信号を電源入力電圧のレベル変化で動作を開始する電圧検出、遅延波形発生回路で作成するようにした事を特徴とする電源異常検出器を備える遊技機。
【発明の詳細な説明】
【技術分野】
【０００１】  本発明は、パチンコ遊技機、スロット機等の用途分野に関連する。
【背景技術】
【０００２】  パチンコ機への利用を代表として記載する。パチンコ機では、入賞口スイッチ用を中心に１２Ｖの電源とマイコン等の制御用として５Ｖの電源と負荷駆動用の２４Ｖの電源が使用される。
各電源は配線系の短絡事故及び負荷の不具合の場合でも火災事故を発生させない事を主たる目的に過電流保護機能が付けられる。不具合が解消した後には自動的に保護機能が解除される自動復帰型過電流保護機能付電源が好まれて使われている。【０００３】が、規定値以上の過電流が流れると出力を遮断して、即ち、出力電圧を下げて保護する自動復帰型過電流保護機能付電源を入賞口スイッチ用電源として用いていると、電源出力を一瞬、一瞬短絡させ、過電流保護機能を作動させ、結果入賞口スイッチを誤動作させる不正行為を見逃すこととなった。
１２Ｖ系の一瞬の電圧低下が有っても５Ｖ系の制御系電源に異常が無ければ、機械の動作に何ら変化が現れず、ホール従業員は不正を発見できない。が、入賞口スイッチに入賞の信号が発生する為、賞球を奪われるし、時には大当たり状態が発生し大量の球を取られる問題があった。
【発明の開示】
【発明が解決しようとする課題】
【０００４】
【０００５】  本発明が解決しようとする課題は、［背景技術］でも述べたように
（１）自動復帰型過電流保護機能付電源を用いても電源出力短絡等で入賞口スイッチが誤作動するような電圧低下の異常を検知する技術を開示すること。
（２）異常を判定する低い電圧は電源投入時、電源遮断時にも生じるが、投入時、遮断時の低い電圧に対しては作用しない異常検知器にすること。
上記（１）（２）が、解決しようとする課題である。
【課題を解決する為の手段】
【０００６】  請求項１の電源異常検出器を備える遊技機は、電源として自動復帰型過電流保護機能付電源を用いた遊技機において、過電流保護機能が作動して、上記電源出力電圧が低下した時、電源出力電圧信号を遊技制御マイコン又は賞球払出制御マイコンの入力端子に与えると共に、上記マイコンのＮＭＩ端子に停電検出信号を与え、且つ、停電検出信号の遅延信号であるリセット信号を上記マイコンのＲＥＳ端子に与え、上記マイコンの出力端子から電源異常信号を出力することを特徴とする電源異常検出器を備える遊技機であるから、不正行為者が電源出力短絡等の行為を行って、不正に賞球を得る行為を早期に発見でき、結果不正の防止が得られる。また、不正でなくても設計値以上の予期せぬ過大電流が流れる機械の不具合を早期に発見出来る効果が有る。
また、電源投入時、電源遮断畤の経過時間には作動しないようにされたマイコンを介して電源出力信号を用いている為、電源投入時、電源遮断時に不都合な信号出力を出さない。結果、課題（１）（２）の効果がある。
【０００７】  請求項２の電源異常検出器を備える遊技機は、電源として自動復帰型過電流保護機能付電源を用いた遊技機において、過電流保護機能が作動して、上記電源出力電圧が低下した時、電源出力電圧信号を遊技制御マイコン又は賞球払出制御マイコンの入力端子に与えると共に、上記マイコンのＮＭＩ端子に停電検出信号を与え、且つ、停電検出信号の遅延信号であるリセット信号を上記マイコンのＲＥＳ端子に与え、上記マイコンの出力端子から電源異常信号を出力することを特徴とする電源異常検出器を備える遊技機であって、上記電源出力電圧信号を電源出力からツェナーダイオードと抵抗の分圧の内、抵抗両端の電圧とし、抵抗両端の電圧をバッファを介して遊技制御マイコン又は賞球払出制御マイコンの入力端子に与え、前記停電検出信号を電源入力電圧のレベル変化で動作を開始する電圧検出、遅延波形発生回路で作成するようにした事を特徴とする電源異常検出器を備える遊技機であるから、従来の遊技機で用いられているマイコンに、ツェナーダイオードと抵抗とバッファを追加するのみで電源電圧を低下させる不正行為を確実に検知する事を可能とし、また、電源投入時、電源遮断時の経過時間には作動しないようにされたマイコンを介して電源出力信号を用いている為、電源投入時、電源遮断時に不都合な信号出力を出さない。
結果、課題（１）（２）の効果がある。
【発明を実施する為の最良の形態】
【０００８】
【０００９】  図１は本発明の実施例を説明する回路図である、１はブリッジダイオードであり、交流電源を端子１−１と１−２間に入力端子Ｔ１、Ｔ２から受け全波整流し端子１−３と１−４から出力し、コンデンサ２で平滑され、電源入力電圧を生成する。電源入力電圧は３の自動復帰型過電流保護機能付電源の入力端子３−１に与えられる。自動復帰型過電流保護機能付電源（以後、電源ＩＣとも言う）のグランド端子３−２はコンデンサ２のマイナス端子のグランドラインに結ばれる。電源ＩＣ３の出力端子３−３はコイル４とコンデンサ５を介してグランドラインに結ばれると共に、ダイオード６を図示の極性でグランドラインに結ばれる。又、電源ＩＣの制御端子３−４は前記コイル４とコンデンサ５の結合点である電源出力電圧の点に結ばれる。
【００１０】  電源ＩＣ３は内部にスイッチ３−６と制御部３−５を含む。制御部３−５は前記電源出力電圧が規定の電圧以下ならスイッチ３−６を閉してコンデンサ２からコイル４、コンデンサ５へと充電させる。電源出力電圧が規定の値に達せれば、スイッチ３−６を開して電流供給を止める。この動作は制御部３−５に含まれる発信器のＯＮ−ＯＦＦに伴って行われる。スイッチ３−６が開した時にはコイル４に蓄えられた電磁エネルギーは、ダイオード６を介してコンデンサ５を充電するように電流を流す。以上がスイッチング電源としての動作である。
【００１１】  電源ＩＣ３の制御部３−５は上記の定電圧電源としての動作以外に、過熱保護機能、過電流保護機能等、種種の機能が付加されており、スイッチ３−６を開にして温度上昇を止める等の動作を行う。実施例では電源ＩＣとしてＴＮ８Ｄ５１Ａの様に過電流検出機能が内部の制御部３−５に設けられている事例で説明しているが、電源ＩＣの外部に抵抗を設けて過電流を検知して過電流保護機能を作動させる場合も本発明に含まれる。いずれの場合も流れる電流値が規定値を越えたか否かが判定され、電源出力電圧を低下させ、電流値を規定値以内に保つ作用をする。
【００１２】  電源の出力には負荷７が結ばれ所要の動作をする。その一例として入賞口スイッチ８が抵抗１０と直列に結ばれる。入賞口スイッチ８の球通過口に球９が通過すると抵抗１０の両端の電圧はハイからローに変化して端子Ｔ３を介して制御部へ信号を送る動作をする。
【００１３】  今、図示するような不正スイッチ１１で電源出力とグランドライン間を短絡すれば、大きな電流を流す事が出来、自動復帰型過電流保護機能付電源３の制御部３−５を作動させ、スイッチ３−６を開させ出力電圧を低下させる。結果、入賞口スイッチ８に結ばれた抵抗１０からは球の入賞が有ったと言う不正信号を得る事が出来る。この不正スイッチ１１を閉する時間は０．１秒とか０．２秒という短時間で十分の為、不正スイッチとは目には見え難い細い電線を引きだして、チョン、チョンと触らせる行為で実現出来、何も具体的なスイッチを設ける必要が無い事から発見は困難である。
【００１４】  不正スイッチは不正行為者が操作できる遊技機の表面へ電線を引き出さなくても、無線で感応するスイッチを夜間に台の裏側に忍び込ませて、無線で操作しても動作するため発見は極めて困難になる。
また、記号Ａで示した矢印は電源部自体に強い電波を与えると、制御部が誤動作して過電流保護機能が作動し、電源出力電圧が低下する事例もある事を示すものである。
不正行為者は次々と新たな不正を行うため、いかなる手段であれ、結果、電源電圧が異常に低下したなら早期に異常を発見する必要がある。
【００１５】  次に電源異常検出器の説明をする。
電源出力電圧であるコンデンサ５からは、ツェナーダイオード２１、抵抗２２でグランドラインに結ばれ、抵抗２２の両端の電圧は５Ｖ電源で動作するバッファ２３の入力端子に結ばれ、その出力は同じく５Ｖ電源で動作する遊技制御マイコン又は賞球払出制御マイコン２４（以後マイコン２４とも言う）の入力端子２４−３に与えられる。
【００１６】動作は、電源出力電圧が１２Ｖで、ツェナーダイオード２１を８Ｖとすると、正常動作時は抵抗２２の両端電位は１２−８で４Ｖ｛４Ｖは論理判定でＨ（ハイ）｝がバッファ２３の入力端子に入力され、その出力は遊技用マイコン又は賞球制御マイコン２４の入力端子２４−３に与えられる。
今、不正スイッチ１１が一瞬操作され、閉すると過大電流が流れ、自動復帰型過電流保護機能付電源３は出力を遮断し、その出力電圧は低下する。その電位が８Ｖまで低下すれば、ツェナーダイオード２１は電流を流さなくなり、抵抗２２の両端電位は０Ｖとなる。バッファ２３の入力にローが入りその出力ローがマイコン２４の入力端子２４−３に与えられる。
ここで、電源出力電圧信号の言葉の説明をすると、１２Ｖとが８Ｖとかの電源出力電圧を、バッファ２３、マイコン２４が判定するロー、ハイの信号に変化された信号を言う。
【００１７】  マイコン２４のＮＭＩ端Ｐ２４−２に与えられる停電検出信号の生成方法には複数の方法が有る。電源入力電圧のレベルを判定し、その後、フリップフロップ、カウンター、発信器、論理ＩＣを組み合わせる方式と、以下に述べる簡単な構成の方式がある。
図１に示す様に、停電検出信号を得る為、コンデンサ２のプラス極の電源入力電圧は抵抗１２と抵抗１３の分圧電圧がコンデンサ１４で平滑され、電圧検出、遅延波形発生回路１５の入力端子１５−１に与えられる。
電圧検出、遅延波形発生回路１５のグランド端子１５−３はグランドラインに結ばれ、同電源端子１５−４は５Ｖ電源に結ばれ、同遅延容量端子１５−２はコンデンサ１６を介してグランドラインに結ばれる。また、同出力端子１５−５は抵抗１７を介して５Ｖ電源に結ばれると共に、マイコン２４のＮＭＩ端子２４−２に結ばれる。
【００１８】  電圧検出、遅延波形発生回路１５はＭ５１９５７Ｂ等で知られる汎用の電圧検出システムリセットＩＣであり、入力端子１５−１に加わる電圧が規定電圧（１．２５ｖ）に達した時点からコンデンサ１６の容量値で決まる遅延時間の後に出力端子１５−５をローからハイに切換、再び入力端子１５−１の電圧が規定電圧を下回ると速やかに出力をローにする動作を行う。
例えば抵抗１２が１５ｋΩとし抵抗１３が１ｋΩなら電源投入後コンデンサ２の電源入力電圧が２０Ｖに達するまで入力端子１５−１は規定電圧に達せず、この時点の後、コンデンサ１６が例えば０．３μＦなら１００ｍＳ程の後に出力端子１５−５をローからハイに変化させる。
その後、瞬時停電で電源入力電圧が２０ｖを下回ると入力端子１５−１が規定値に戻り、瞬時に出力端子１５−５をローに切換、再度電源入力電圧が２０Ｖを超えても上記１００ｍＳ後に出力端子１５−５をハイにすると言う動作を行う。パチンコ機の使用後、電源遮断時には電源入力電圧が２０Ｖに低下した時点で出力端子１５−５をローに変化させる。
【００１９】  出力端子１５−５は抵抗１８とコンデンサ１９でグランドラインに結ばれ、コンデンサ１９の両端電圧がバッファ２０の入力に与えられる。バッファ２０の出力はマイコン２４のＲＥＳ端子２４−１に結ばれる。抵抗１８、コンデンサ１９、バッファ２０は遅延信号発生部を構成し、抵抗１８が１００ｋΩとし、コンデンサ１９が０．１μＦなら約１０ｍＳの遅延と成る。
【００２０】  出力端子１５−５の信号は停電検出信号と言われ、停電検出信号を遅延信号発生部で立ち上がり時も立ち下がり時も遅らせられた信号はリセット信号と言われる。
瞬時停電及び電源遮断時に停電検出信号がマイコン２４のＮＭＩ端子２４−２をハイからローに変化させると、マイコンのソフト動作はＲＡＭの値、プログラムカウンターの値を待避させ、停電回復時、及び電源再投入時に前回の状態から継続動作を可能とする。
リセット信号が停電検出信号から遅延させられる時間は上記ＲＡＭの値等のデータ待避を確実に実行させた後にマイコン２４を停止させるに必要な時間の確保を目的とするものである。
【００２１】  さて、遊技制御マイコン又は賞球払出制御マイコン２４は制御に必要なＲＥＳ信号、ＮＭＩ信号を端子２４−１、２４−２に受け、入力端子２４−３に電源出力電圧信号を受けているのでソフト動作で好きな形の電源異常信号を出力端子２４−４を介して出力できる。
上述した様に、正常な電源出力信号の時はマイコン２４の入力端子２４−３はハイであるから正常として異常出力を何も出さず、規定値以下の電源出力電圧で電源出力電圧信号がローなら例えば、ホールコンピューターへの報知、音声での警告、ランプでの報知、液晶画面への表示、等等を出力できる。
遊技機に関する不正行為は扉開放での不正、マグネット使用での不正、電波不正、等等が有ることから、個々を単独とせず、複合で「不正信号」とし、その中に電源異常も含ませて異常出力系を単純化させる事も有用である。
【００２２】  電源出力電圧信号で異常の有無を判定するに当っての、電源投入時、電源遮断時に経過する低電圧での誤判断に関しては停電検出信号を用いて動作しているマイコンを介して電源異常信号を出力する様に構成したことで問題を解消している。
【００２３】明細書、特許請求の範囲で言う電源異常検出器とは実施例のツェナーダイオードと抵抗の分圧で示す物に限らず、コンパレーターで基準値電圧以下か否かを判定する物等を含めると共に、停電検出信号とリセット信号を受けて作動するマイコンの入力から出力を含めた部分を言う。
【００２４】  特に図１で示した実施例は、従来の遊技機で用いられているマイコンに、ツェナ−ダイオードと抵抗とバッファを追加するのみで電源電圧を低下させる不正行為を確実に検知する事を可能とした効果は大きい。
また、本実施例では遊技機用電源異常検知器のツェナーダイオード、抵抗、バッファを電源部に記載したが、１２Ｖ電源が配線されていて、マイコンが配置されている遊技制御主基板部、賞球払出制御基板部に設ける事が好適である。
【図面の簡単な説明】
【００２５】
【図１】  本発明の実施例を示す回路図。
【符号の説明】
【００２６】１…………………ブリッジダイオード
２…………………コンデンサ
３…………………自動復帰型過電流保護機能付電源（電源ＩＣ）
４…………………コイル
５…………………コンデンサ
６…………………ダイオード
７…………………負荷
８…………………入賞口スイッチ
９…………………球
１０………………抵抗
１１………………不正スイッチ
１２………………抵抗
１３………………抵抗
１４………………コンデンサ
１５………………電圧検出、遅延波形発生回路
１６………………コンデンサ
１７………………抵抗
１８………………抵抗
１９………………コンデンサ
２０………………バッファ
２１………………ツェナーダイオード
２２………………抵抗
２３………………バッファ
２４………………遊技制御マイコン又は賞球払出制御マイコン（マイコン）
２４−１…………ＲＥＳ端子
２４−２…………ＮＭＩ端子
２４−３…………入力端子
２４−４…………出力端子
【図１】
2010082404.tif 000003